(57)【要約】【課題】冷風モードで駆動させた際にヒータ部の配置される第１の流路の吐出口からより冷たい風を吐出させることのできるヘアドライヤーを得る。【解決手段】内部にヒータ部Ｈおよび空気吸込口２ａから吸い込んだ外気を空気吹出口２ｂから吐出させる送風部９が設けられたハウジング３と、空気吸込口２ａから流入した空気を、ヒータ部Ｈを通過させて空気吹出口２ｂの第１の吐出口７から吐出させる第１の流路Ｗ１と、空気吸込口２ａから流入した空気を、ヒータ部Ｈを迂回させて空気吹出口２ｂの第２の吐出口８から吐出させる第２の流路Ｗ２と、送風部９を駆動させるための電圧降下用の発熱体３０と、を備えたヘアドライヤーにおいて、発熱体３０を、前記第２の流路Ｗ２の流域Ｂに納まるように配置する。【選択図】図２
2012196365.tif 000002
【特許請求の範囲】
【請求項１】
内部にヒータ部および空気吸込口から吸い込んだ外気を空気吹出口から吐出させる送風部が設けられたハウジングと、
前記空気吸込口から流入した空気を、前記ヒータ部を通過させて前記空気吹出口の第１の吐出口から吐出させる第１の流路と、
前記空気吸込口から流入した空気を、前記ヒータ部を迂回させて前記空気吹出口の第２の吐出口から吐出させる第２の流路と、
前記送風部を駆動させるための電圧降下用の発熱体と、を備えたヘアドライヤーにおいて、
前記発熱体を、前記第２の流路の流域に納まるように配置したことを特徴とするヘアドライヤー。
【請求項２】
前記ハウジング内に、前記ヒータ部が内部に配置される内筒を設け、
前記空気吸込口から前記内筒の内部空間を通過して前記第１の吐出口から吐出される流路を前記第１の流路とし、前記空気吸込口から前記内筒の外部空間を通過して前記第２の吐出口から吐出される流路を前記第２の流路としたことを特徴とする請求項１に記載のヘアドライヤー。
【請求項３】
前記発熱体を、前記内筒の外周に配置したことを特徴とする請求項２に記載のヘアドライヤー。
【請求項４】
前記発熱体はヒータ線であり、当該ヒータ線を、略円環状の前記第２の流路の流域に沿って配置したことを特徴とする請求項１〜３のうち何れか１項に記載のヘアドライヤー。
【請求項５】
前記発熱体に、発熱量の少ない低発熱部を設け、当該低発熱部の下流側の前記第２の流路にイオン放出部を設けたことを特徴とする請求項１〜４のうち何れか１項に記載のヘアドライヤー。
【請求項６】
前記ヒータ部への通電を間欠的に行うことで、自動的に温風モードと冷風モードとが切り換わるようにしたことを特徴とする請求項１〜５のうち何れか１項に記載のヘアドライヤー。
【請求項７】
前記第１の吐出口の風量が、前記第２の吐出口の風量よりも多く吹き出されるようにしたことを特徴とする請求項１〜６のうち何れか１項に記載のヘアドライヤー。
【請求項８】
前記第２の吐出口から吐出される風の吹出方向を、前記第１の吐出口から吐出される風の吹出方向に対して異ならせたことを特徴とする請求項１〜７のうち何れか１項に記載のヘアドライヤー。
【発明の詳細な説明】
【技術分野】
【０００１】
本発明は、ヘアドライヤーに関する。
【背景技術】
【０００２】
従来より、空気吸込口から流入した空気を、ヒータ部を通過させて空気吹出口の第１の吐出口（温風吹出口）から吐出させる第１の流路（温風用流路）と、空気吸込口から流入した空気を、ヒータ部を迂回させて空気吹出口の第２の吐出口（冷風吹出口）から吐出させる第２の流路（冷風用流路）と、を備えたヘアドライヤーが知られている（例えば特許文献１参照）。
【０００３】
この特許文献１では、温風モードで駆動させた際に第１の吐出口と第２の吐出口とから同時に温風と冷風とを吐出させることで、温風で癖付けした状態の毛髪を素早く冷風で冷やして固定し、効果的に毛髪に癖付けを施せるようにしている。このように、癖付けした状態の毛髪を効果的に固定できるようにするためには、温風と冷風の温度の高低差が重要となる。
【先行技術文献】
【特許文献】
【０００４】
【特許文献１】特開２００４−３５７９３７号公報
【発明の概要】
【発明が解決しようとする課題】
【０００５】
ところで、上記従来技術にあっては、送風部のモータを駆動させるための電圧降下用の発熱体（ヒータ線）が、ヒータ部の配置される第１の流路の流域に配置されている。そのため、冷風モードで駆動させた際には、空気吸込口から流入した外気が発熱体を通過することで若干温められてしまい、当該温まった風が第１の吐出口から突出されてしまう恐れがあった。
【０００６】
そこで、本発明は、冷風モードで駆動させた際にヒータ部の配置される第１の流路の吐出口からより冷たい風を吐出させることのできるヘアドライヤーを得ることを目的とする。
【課題を解決するための手段】
【０００７】
上記目的を達成するために、本発明にあっては、内部にヒータ部および空気吸込口から吸い込んだ外気を空気吹出口から吐出させる送風部が設けられたハウジングと、前記空気吸込口から流入した空気を、前記ヒータ部を通過させて前記空気吹出口の第１の吐出口から吐出させる第１の流路と、前記空気吸込口から流入した空気を、前記ヒータ部を迂回させて前記空気吹出口の第２の吐出口から吐出させる第２の流路と、前記送風部を駆動させるための電圧降下用の発熱体と、を備えたヘアドライヤーにおいて、前記発熱体を、前記第２の流路の流域に納まるように配置したことを特徴とする。
【発明の効果】
【０００８】
本発明によれば、発熱体を第２の流路の流域に収まるように配置したので、冷風モードで駆動させた際にヒータ部の配置される第１の流路の吐出口からより冷たい風を吐出させることができるようになる。そのため、温風モードで癖付けした状態の毛髪を冷風モードに切り換えた際により冷たい風で固定できるようになり、温風と冷風の高低差を大きくして効果的に毛髪に癖付けを施すことができる。
【図面の簡単な説明】
【０００９】
【図１】図１は、本発明の第１実施形態にかかるヘアドライヤーの斜視図である。
【図２】図２は、図１のａ−ａ断面図である。
【図３】図３は、図１のｂ−ｂ断面図である。
【図４】図４は、図２の分流部近傍を示した拡大図である。
【図５】図５は、本発明の第１実施形態にかかる発熱体の配置を示す説明図である。
【図６】図６は、本発明の第１実施形態にかかるヒータ部への通電とそれに伴う毛髪の温度変化をグラフで示した説明図である。
【図７】図７は、従来のヘアドライヤーにおける図３と同位置の断面図である。
【図８】図８は、本発明の第１実施形態にかかるヘアドライヤーの第１変形例を示した図４と同位置の拡大断面図である。
【図９】図９は、本発明の第２実施形態にかかるヘアドライヤーの図２と同位置の側断面図である。
【図１０】図１０は、本発明の第２実施形態にかかるヘアドライヤーの冷風モード時における毛髪への風の当たり方を示した説明図である。
【図１１】図１１は、本発明の第３実施形態にかかるヘアドライヤーの図２と同位置の側断面図である。
【発明を実施するための形態】
【００１０】
以下、本発明の実施形態について図面を参照しながら詳細に説明する。
【００１１】
［第１実施形態］
図１〜図６は、本発明にかかるヘアドライヤー１の第１実施形態を示した図である。本実施形態のヘアドライヤー１は、内部に風洞部２が設けられたハウジング３と、このハウジング３の後部下側から突設されたグリップ取付部３ａに回動自在な連結部４を介して折り畳み自在に連結されたグリップ部５と、を備えて構成されている。なお、本実施形態を説明するにあたって、図中Ｘ方向を左右方向、Ｙ方向を前後方向、Ｚ方向を上下方向として説明するものとする。
【００１２】
図１および図２に示すように、ハウジング３の後端部（空気流路Ｗの上流側端部：図２の右側）には、フィルタ１０で覆われた空気吸込口２ａが設けられる一方で、前端部（空気流路Ｗの下流側端部：図２の左側）には空気吹出口２ｂが設けられている。ハウジング３内の風洞部２には、その中心線が風洞部２の中心線上に位置する円筒状の内筒６が設けられており、この内筒６の内部にヒータ部Ｈが配置されている。なお、本実施形態では、グリップ部５よりも前側に位置するハウジング３の内周面部を風洞部２としている。
【００１３】
そして、本実施形態では、空気吸込口２ａから流入した外気が内筒６の内部空間を通過する流路を第１の流路Ｗ１とし、空気吸込口２ａから流入した外気が内筒６の外部空間を通過する流路を第２の流路Ｗ２としている。さらには、第１の流路Ｗ１の下流側端部である内筒６の下流側端部の開口を第１の吐出口７とし、第２の流路Ｗ２の下流側端部である内筒６と風洞部２との間に形成された空間の下流側端部の開口を第２の吐出口８としている。このように、本実施形態では、空気吸込口２ａから流入した空気を、ヒータ部Ｈを通過させて第１の吐出口７から吐出させる流路を第１の流路Ｗ１とするとともに、ヒータ部Ｈを迂回させて第２の吐出口８から吐出させる流路を第２の流路Ｗ２としている。
【００１４】
第１の吐出口７は、ハウジング３の正面視で中心部に配されており、第２の吐出口８はこの第１の吐出口７の周辺部に配され、これら第１の吐出口７と第２の吐出口８とが隣接している。このとき、本実施形態では、第１の吐出口７の開口面積を第２の吐出口８の開口面積よりも大きくすることで、第１の吐出口７の風量が、第２の吐出口８の風量よりも多く吹き出されるようにしている。なお、ハウジング３の前端部には、内側ノズル部２１と外側ノズル部２２とで主体が構成された二重筒構造のノズル２３を取り付けている。
【００１５】
ハウジング３の内部の後部、すなわち内筒６よりもやや上流側には、その中心線が内筒６の中心線の延長線上に位置し、且つ上流側端部の開口１１ａが空気吸込口２ａに向かって徐々に拡開する整流筒１１が設けられている。そして、この整流筒１１の下流側端部と内筒６の上流側端部との間には、内筒６の外部空間（内筒６と風洞部２との間に形成された空間）と連通する分流部１２が設けられている。
【００１６】
整流筒１１の内部には送風部９が配設される。送風部９は、ファン９ａと、このファン９ａを回転するモータ９ｂと、このモータ９ｂを整流筒１１の内側に支持して通過空気の整流機能を奏する整流翼９ｃなどによって構成されている。そして、ファン９ａがモータ９ｂで回転駆動されることにより整流筒１１内に空気流を発生させ、空気吸込口２ａから吸い込んだ外気を空気吹出口２ｂから吐出させるようになっている。
【００１７】
また、ハウジング３にはイオン放出部２５が設けられている。このイオン放出部２５は、マイナスイオンを発生させるイオン発生ブロック２６と、このイオン発生ブロック２６によって発生させたマイナスイオンを吹き出すイオン吹出口２７とから成る。本実施形態では、このイオン放出部２５が内筒６と風洞部２との間の空間に設けられており、第２の流路Ｗ２を流れる風の一部に乗せてイオン吹出口２７からマイナスイオンを放出できるようしている。
【００１８】
イオン放出部２５は、ハウジング３の後部に設けられた高電圧発生部２８で発生させた高電圧をイオン発生ブロック２６に印加してコロナ放電させることにより、マイナスイオンを発生させる。イオン吹出口２７は、ハウジング３の上部前面に開口して設けられており、マイナスイオンを前方に放出させることによって、毛髪に艶やしっとり感を与えることができるようになっている。
【００１９】
グリップ部５の前側中央部には、上下複数段の切り換え自在にスイッチＳが設けられており、このスイッチＳによってモータ９ｂおよびヒータ部Ｈのオン・オフおよび風量調節などが行われる。また、グリップ部５の下端には電源に繋げるコードＣが取り付けられている。
【００２０】
また、図３に示すように、ハウジング３には送風部９のモータ９ｂを駆動させるために、電源コードＣを介して印加される電圧を降下させる用のヒータ線３０（発熱体）が設けられている。この発熱体は、ヒータ線３０などの発熱を伴う抵抗体を用いるのが好ましい。本実施形態のようにヒータ線３０を用いた場合には、コストの面やハウジング３内のスペースにあまり嵩張らずに配置できるので好適である。なお、本実施形態では、大きさやコストの面からヒータ線３０を用いて発熱体を構成しているが、例えば、トランスやブロック状等の発熱を伴う抵抗体を用いてもよい。
【００２１】
そして、本実施形態では、この電圧降下用のヒータ線３０を、第２の流路Ｗ２の流域Ｂに納まるように配置するようにしている。
【００２２】
具体的には、図４に示すように、本実施形態では内筒６よりもやや下流側の分流部１２に、内筒６を上流側に延長させた仮想線Ｅよりも外側にヒータ線３０の外周面３０ａが位置するように配置させている。
【００２３】
なお、第２の流路Ｗ２の流域Ｂとは、図２に示すように、空気吸込口２ａから流入した外気が、ヒータ部Ｈを迂回して内筒６の外部空間を通過する流域Ｂのことである。本実施形態では、空気吸込口２ａからファン９ａに吸い込まれた空気が、当該ファン９ａによって径外側に整流される特性を考慮し、内筒６の上流側端面６ｂとファン９ａの根本部９ｅとを上流側に向けて縮径する滑らかな曲線で結んだ仮想線Ｆを、流域Ｂの境界線として規定した。よって、仮想線Ｆの外側であれば、ヒータ線（発熱体）３０をどこに配置させてもよいし、内筒６の外側であれば、ヒータ線３０をどこに配置させて設けてもよい。
【００２４】
但し、図３および図５に示すように、ヒータ線３０は全周に亘って、第２の流路Ｗ２の流域Ｂ（仮想線Ｆと整流筒１１の間の空間または内筒６と風洞部２との間の空間）に納められて配置される必要がある。また、このとき、ヒータ線３０は略円環状の第２の流路Ｗ２の流域Ｂに沿って配置されるのが好ましい。こうすることで、第２の流路Ｗ２を通過する空気が、周方向において均一にヒータ線３０を通過するようになり、第２の吐出口８から吐出される風の温度を均一化することができる。よって、第２の吐出口８から吐出される空気の一部が温かくなり、使用者に不快感を与えてしまうといった不具合を抑制することができる。
【００２５】
また、図５に示すように、本実施形態では、ヒータ線３０に発熱量の少ない低発熱部３２を設け、当該低発熱部３２の下流側の第２の流路Ｗ２にイオン放出部２５を設けるようにしている。
【００２６】
この低発熱部３２は、例えばヒータ線３０を周方向において１周半（あるいは２周半）重ねて巻回するような構成の場合、二重（あるいは三重）となって重なりが厚い部位を高発熱部３１、一重（あるいは二重）となって重なりが薄い部位を低発熱部３２とすることができる。
【００２７】
このように、本実施形態では、低発熱部３２の下流側の第２の流路Ｗ２にイオン放出部２５を設けるようにしたので、マイナスイオンをより冷たい風に放出することができる。これにより、マイナスイオンによる毛髪の艶だし効果を高めることができる。すなわち、温風に向かってマイナスイオンを放出した場合、マイナスイオンに含まれる水分子が加熱されてしまい、毛髪に当ててもすぐに蒸散して、マイナスイオンによる毛髪の艶出し効果が低減してしまうという問題があった。この点、本実施形態では、低発熱部３２の下流側にイオン放出部２５を設けたので、マイナスイオンをより冷たい風に放出でき、マイナスイオンを蒸散され難くして、艶出し効果が向上するのである。
【００２８】
以上、詳細に亘って説明してきたように、本実施形態のヘアドライヤー１では、送風部９のモータ９ｂを駆動させるための電圧降下用のヒータ線（発熱体）３０を、第２の流路Ｗ２の流域Ｂに納まるように配置している。すなわち、従来の構成では図７に示すように、発熱体としてのヒータ線３０の一部が第１の流路Ｗ１の流域Ａに配置されていたのに対し、本実施形態では、ヒータ線３０のすべてが周方向において第２の流路Ｗ２の流域Ｂに配置されるようにしている。よって、冷風モードで駆動させた際には、ヒータ部Ｈの配置される第１の流路Ｗ１の吐出口７からより冷たい風を吐出させることができるようになる。そのため、温風モードで癖付けした状態の毛髪Ｈを冷風モードに切り換えた際により冷たい風で固定できるようになり、温風と冷風の高低差を大きくして効果的に毛髪Ｈに癖付けを施すことができる。
【００２９】
また、本実施形態では、ハウジング３内に、ヒータ部Ｈが内部に配置される内筒６を設けている。そして、空気吸込口２ａから内筒６の内部空間を通過して第１の吐出口７から吐出される流路を第１の流路Ｗ１とし、空気吸込口２ａから内筒６の外部空間を通過して第２の吐出口８から吐出される流路を第２の流路Ｗ２としている。よって、冷風モードで駆動させた際には、ヒータ線３０を通過させない冷たい風を、空気吹出口２ｂのより中心に位置する第１の吐出口７から吹き出すことができる。そのため、冷たい風を毛髪Ｈに当て易くなり、さらに効果的に毛髪Ｈに癖付けを施すことができる。
【００３０】
さらにまた、本実施形態では、発熱体がヒータ線３０であり、当該ヒータ線３０を略円環状の第２の流路Ｗ２の流域Ｂに沿って配置するようにしている。そのため、第２の流路Ｗ２を通過する空気が、周方向において均一にヒータ線３０を通過するようになり、第２の吐出口８から吐出される風の温度を均一化することができる。よって、第２の吐出口８から吐出される空気の一部が温かくなり、使用者に不快感を与えてしまうといった不具合を抑制することができる。
【００３１】
また、本実施形態では、ヒータ線（発熱体）３０に発熱量の少ない低発熱部３２を設け、当該低発熱部３２の下流側の第２の流路Ｗ２にイオン放出部２５を設けるようにしている。そのため、マイナスイオンをより冷たい風に放出することができ、これにより、マイナスイオンによる毛髪の艶だし効果を高めることができる。
【００３２】
さらにまた、本実施形態では、第１の吐出口７の風量が、第２の吐出口８の風量よりも多く吹き出されるようにしている。よって、冷風モードで駆動させた際には、ヒータ線３０を通過させない冷たい風をより多く吹き出すことができる。そのため、冷たい風を毛髪Ｈにより多く当てることができ、さらに効果的に毛髪Ｈに癖付けを施すことができる。
【００３３】
なお、本実施形態のヘアドライヤー１にあっては、ヒータ部Ｈへの通電を間欠的に行うことで、自動的に温風モードと冷風モードとが切り換わるようにするのが好ましい。すなわち、図６の説明図に示すように、約３秒〜１０秒の間でヒータ部Ｈへの通電を間欠的に行うようにする。こうすることで、毛髪の成分であるケラチンの一種に、ガラス転移点が約５０℃付近のものがあり、ガラス転移点を行き来する温度を与えることができる。また、本実施形態の場合には、図中Ｃに示すように、ヒータ線３０が第１の流路Ｗ１内に配置された従来の構成Ｄと比べて、温風と冷風の高低差を大きくすることができるので、より効果的に癖付けを施すことができる。また、自動的に温風モードと冷風モードとが切り換わることで、使用者のスイッチＳによる切換作業が不要となり、使い勝手のよいヘアドライヤーを提供することができる。
【００３４】
また、本実施形態では、ヒータ線３０を分流部１２に配置させたが、図８に示す変形例のように、ヒータ線（発熱体）３０を、内筒６の外周に配置させるようにしてもよい。こうすれば、ヒータ線３０を通過させた風が内筒６内の第１の流路Ｗ１の流域Ａに進入してしまう恐れがないので好適である。
【００３５】
［第２実施形態］
次に、本発明の第２実施形態について図面を参照して説明する。図９および図１０は、本実施形態にかかるヘアドライヤーを示した図である。なお、本実施形態を説明するにあたって、上記第１実施形態のヘアドライヤー１と同一構成部分に同一符号を付して重複する説明を省略して述べるものとする。
【００３６】
本実施形態のヘアドライヤー１Ａは、上記第１実施形態と同様にして、送風部９のモータ９ｂを駆動させるための電圧降下用のヒータ線（発熱体）３０を、第２の流路Ｗ２の流域Ｂに納まるように配置している。
【００３７】
ここで、本実施形態のヘアドライヤー１Ａが上記第１実施形態のヘアドライヤー１と主に異なる点は、第２の吐出口８から吐出される風の吹出方向を、第１の吐出口７から吐出される風の吹出方向に対して異ならせたことにある。
【００３８】
すなわち、本実施形態では、二重筒構造の内側ノズル部２１に、ハウジング３の軸方向（前後方向Ｙ）に対して傾斜させた拡開筒部４０を設けることで、内側ノズル部２１と外側ノズル部２２との間から径外側に向けて風が吹き出されるようにしている。
【００３９】
以上の構成により、本実施形態のヘアドライヤー１Ａによれば、図１０に示すように、ヒータ線（発熱体）３０により若干温まった風３６が毛髪Ｈや頭皮Ｋに当たらなくなり、第１の吐出口７からの冷たい風３５のみを、毛髪Ｈや頭皮Ｋに当てることができる。したがって、本実施形態によれば、上記第１実施形態よりもさらに冷たい風を毛髪Ｈや頭皮Ｋに供給することができるという利点がある。
【００４０】
なお、本実施形態の場合には、ヘアドライヤー１Ａの正面視でイオン吹出口２７の近傍に位置する上側の拡開筒部４０は、第２の吐出口８を塞ぐように設けられるのが好ましい。こうすれば、第２の吐出口８から吹き出される風によって、イオン吹出口２７から吹き出されるマイナスイオンが毛髪Ｈや頭皮Ｋに供給されなくなるといった不具合を阻止することができる。
【００４１】
また、本実施形態では、二重筒構造の内側ノズル部２１に、ハウジング３の軸方向（前後方向Ｙ）に対して傾斜させた拡開筒部４０を設けるようにしたが、図１１に示す変形例のヘアドライヤー１Ｂのように、ハウジング３の上部と下部に第２の吐出口８Ａを設けるようにしてもよい。こうすれば、第２の吐出口８Ａから吐出される風の吹出方向を、第１の吐出口７から吐出される風の吹出方向に対して異ならせることの可能な構成を、より容易に得ることができる。
【００４２】
以上、本発明の好適な実施形態について説明したが、本発明は上記実施形態には限定されず、種々の変形が可能である。
【００４３】
例えば、上記実施形態では、内筒の内部空間を第１の流路、内筒の外部空間を第２の流路、内筒の下流側端部の開口を第１の吐出口、内筒と風洞部とよりなる第２の流路の下流側端部の開口を第２の吐出口としたが、これに限定されるものではなく、例えば、ヒータ部を内筒の外部空間に設け、内筒の内部空間を第２の流路、内筒の外部空間を第１の流路、内筒の下流側端部の開口を第２の吐出口、内筒と風洞部とよりなる第１の流路の下流側端部の開口を第１の吐出口としても良い。この場合、発熱体（ヒータ線）を、仮想線Ｆの内側に納まるように配置させるようにする。
【００４４】
また、上記実施形態では、イオン放出部ではマイナスイオンを発生させるようにしたが、例えば、静電霧化装置により帯電微粒子水を発生させても良い。または、金属微粒子発生装置により、金属微粒子を発生させても良い。
【符号の説明】
【００４５】
１、１Ａ、１Ｂ  ヘアドライヤー
２ａ  空気吸込口
２ｂ  空気吹出口
３    ハウジング
６    内筒
７    第１の吐出口
８    第２の吐出口
９    送風部
３０  ヒータ線（発熱体）
Ｈ    ヒータ部
Ｗ１  第１の流路
Ｗ２  第２の流路
【図１】
2012196365.tif 000003
【図２】
2012196365.tif 000004
【図３】
2012196365.tif 000005
【図４】
2012196365.tif 000006
【図５】
2012196365.tif 000007
【図６】
2012196365.tif 000008
【図７】
2012196365.tif 000009
【図８】
2012196365.tif 000010
【図９】
2012196365.tif 000011
【図１０】
2012196365.tif 000012
【図１１】
2012196365.tif 000013